(57)【要約】      （修正有）【課題】夜間などのガス漏れ警報時に部屋の照明を点けることなく安全にガス漏れ状況の確認や換気が迅速且つ適切にできる警報器を提供する。【解決手段】警報器１０はＣＯ検出部１２やＣＨ４検出部１４によりガス漏れを検出して報知部３０により警報する。警報器１０には監視エリアの一部または全部を照明する照明装置２４が設けられ、照明制御部４０はガス漏れを検出した際に照明装置２４を駆動する。更に、監視エリアの照度を検出する照度センサを設け、照明制御部４０は、ガス漏れ検出と照度センサによる明るさ低下検出の両方が判別された時、照明装置を駆動することもできる。【選択図】図２
0003148639.tif 000002
【実用新案登録請求の範囲】
【請求項１】
ガス検出部によりガス漏れを検出して報知部により警報する警報器に於いて、
監視エリアの一部または全部を照明する照明装置と、
前記ガス検出部によりガス漏れを検出した際に前記照明装置を駆動する照明制御部と、
を備えたことを特徴とする警報器
【請求項２】
請求項１記載の警報器に於いて、更に、監視エリアの明暗を検出する明暗センサを設け、
前記照明制御部は、前記ガス検出部または他の警報器によるガス漏れを検出と前記明暗センサによる明るさ低下検出の両方が判別された時、前記照明装置を駆動することを特徴とする警報器。
【請求項３】
請求項１記載の警報器に於いて、更に、人体を検出する人感センサを設け、
前記照明制御部は、前記ガス検出部または他の警報器によるガス漏れを検出と前記人感センサによる人体検出の両方が判別された時、前記照明装置を駆動することを特徴とする警報器。
【請求項４】
請求項１記載の警報器に於いて、更に、人体を検出する人感センサと、監視エリアの明暗を検出する明暗センサを設け、
前記照明制御部は、前記ガス検出部または他の警報器によるガス漏れを検出し、前記人感センサによる人体検出及び前記明暗センサによる明るさ低下検出が判別された時、前記照明装置を駆動することを特徴とする警報器。
【請求項５】
請求項乃至４のいずれかに記載の警報器に於いて、前記照明制御部は、前記ガス検出部又は他の警報器によるガス漏れ検出後、前記照明装置を駆動するまでに、所定の遅延時間を設けたことを特徴とする警報器。
【請求項６】
請求項１乃至５のいずれかに記載の警報器に於いて、前記照明制御部は、前記照明装置の駆動中に警報停止操作を判別した時に、前記照明装置の駆動を停止することを特徴とする警報器。
【請求項７】
請求項１乃至５のいずれかに記載の警報器に於いて、前記照明制御部は、試験操作を判別した時に、前記照明装置を一時的に駆動することを特徴とする警報器。
【請求項８】
請求項１乃至７記載のいずれかの警報器に於いて、前記照明制御部は、前記照明装置の駆動中に警報停止操作を判別した場合にも、駆動状態を少なくとも所定期間保持することを特徴とする警報器。
【請求項９】
請求項５記載の警報器に於いて、前記照明制御部は、前記遅延時間中に警報停止の操作を判別した場合には前記照明装置の駆動を行わないことを特徴とする警報器。
【考案の詳細な説明】
【技術分野】
【０００１】
本考案は、ガス漏れを検出して警報する警報器に関する。
【背景技術】
【０００２】
近年、家庭内での都市ガスの検知と火災による熱や煙を検出して音声メッセージにより警報する警報器（火災ガス漏れ警報器）が実用化され普及している。
【０００３】
このような警報器は、商用ＡＣ１００Ｖや内蔵電池を電源とし、都市ガスや一酸化炭素を検知するガス検知器の機能と火災による煙や熱を検知して警報する火災感知器としての機能が設けられ、火災又はガス漏れを検知すると、ＬＥＤ等の表示灯により異常の種別を警告表示すると共に、音声合成による音声警報を出力するようにしている。
【特許文献１】特開２００２−０４２２５９号公報
【特許文献２】特開２００５−２０８９５７号公報
【考案の開示】
【考案が解決しようとする課題】
【０００４】
しかしながら、このような従来の警報器にあっては、夜間の睡眠中などに台所などに設置した状態でガス漏れを検出して警報した場合、ガス漏れの様子を確かめるために照明を点灯したいが、万一、ガス漏れであった場合には、照明を点灯する際のスイッチ操作で生じたスパークにより漏れているガスに引火して爆発事故を起こす可能性があり、そのため照明をつけることなく、まず窓を開けて換気する必要がある。
【０００５】
しかし、照明を点けることのできない暗い中で急いで対応しなければならないためにパニックになり易く、迅速且つ適切な対応ができないことが予想される。
【０００６】
本考案は、夜間などのガス漏れ警報時に部屋の一般照明を点けることなくガス漏れ状況の確認や換気が安全且つ迅速にできるようにする警報器を提供することを目的とする。また自動的に安全な照明を提供し、ガス漏れ時の一般照明点灯操作によるスパーク引火事故の発生を低減する。
【課題を解決するための手段】
【０００７】
本考案は、ガス検出部によりガス漏れを検出して報知部により警報する警報器に於いて、
監視エリアの一部または全部を照明する照明装置と、
ガス検出部によりガス漏れを検出した際に照明装置を駆動する照明制御部と、
を備えたことを特徴とする。
【０００８】
本考案は、更に、監視エリアの明暗を検出する明暗センサを設け、照明制御部は、ガス検出部によるガス漏れを検出と明暗センサによる明るさ低下検出の両方が判別された時、照明装置を駆動する。
【０００９】
本考案は、更に、人体を検出する人感センサを設け、照明制御部は、ガス検出部によるガス漏れを検出と人感センサによる人体検出の両方が判別された時、照明装置を駆動する。
【００１０】
本考案は、更に、人体を検出する人感センサと、監視エリアの明暗を検出する明暗センサを設け、照明制御部は、ガス検出部によるガス漏れを検出、人感センサによる人体検出及び明暗センサによる明るさ低下検出が判別された時、照明装置を駆動する。
【００１１】
照明制御部は、ガス検出部又は他の警報器によるガス漏れ検出から照明点灯に至るまでに、遅延時間を設ける。
【００１２】
照明制御部は、照明装置の駆動中に警報停止操作を判別した時に、照明装置の駆動を停止する。
【００１３】
照明制御部は、試験操作を判別した時に、照明装置を一時的に駆動する。
【００１４】
照明制御部は、照明駆動中に警報停止操作を判別した場合にも、駆動状態を少なくとも所定期間保持する。
【００１５】
照明制御部は、照明駆動開始遅延時間中に警報停止の操作を判別した場合には照明装置の駆動を行わない。
【考案の効果】
【００１６】
本考案によれば、ガス漏れ警報が出されると警報器に設けている照明装置が駆動されて台所などの監視エリアの一部又は全部を照明することになり、部屋に設置している一般照明を点灯することなく、ガス漏れ状況や換気作業を警報器自身の安全な自動照明の下で迅速且つ適切に行うことができ、他に部屋の照明を点ける必要がないため、照明スイッチのオン操作に伴うスパークに起因したガス爆発の危険を未然に回避できる。
【００１７】
また、明暗センサによる明るさ低下検出で照明装置を駆動することにより、夕方や夜間といった暗いときにのみ照明が行われ、例えば電池駆動の警報器の場合には、不必要な照明による電池消耗を回避することができる。
【００１８】
また、人感センサによる人体検出で照明装置を駆動することにより、警報器の監視エリアに人が来たときに照明することとなり、人がいないときには照明しないことで、例えば電池駆動の警報器の場合には、不必要な照明による電池消耗を回避することができる。
【００１９】
更に、明暗センサによる明るさ低下検出と人感センサによる人体検出の両方を判別したときに照明装置を駆動することにより、監視エリアが暗くて人が来たときにのみ照明することとなり、状況にあった最適な照明とでき、電池駆動の警報器の場合には、不必要な照明による電池消耗をより一層回避することができる。
【００２０】
さらに、複数の警報器間で通信させて警報情報を共有し、連動元警報器の情報から他の連動先警報器に警報させる警報器ネットワークシステムに於いても、システム内の任意の警報器の警報から、他の連動先の警報器の照明装置を駆動させる等のシステムアプリケーションを提供出来る。システム内の警報器は、ガス漏れ警報器だけでなく、たとえばガス検出部に代えて火災センサ部を備え、その他の構成を本考案のガス漏れ警報器と類似または同様にした火災警報器を混在させることも出来る。もちろん、ガス検出部と火災センサ部を併せ持つ火災ガス漏れ警報器、そして、各種の防犯用警報器もシステムに含むことが出来る。
【考案を実施するための最良の形態】
【００２１】
図１は本考案によるガス漏れを検知して警報する警報器の外観を示した説明図である。図１において、警報器１０は１つの筐体にＣＯ検出部１２、ＣＨ4検出部１４、電源灯１５、ＣＨ4警告灯１６、ＣＯ警告灯１８及びスピーカ２０を設けている。
【００２２】
ＣＯ検出部１２及びＣＨ4検出部１４は半導体ガスセンサであり、ＣＨ4（メタン）やＣＯを異なったタイミングで検出する。
【００２３】
これらＣＯ検出部１２及びＣＨ4検出部１４に対応してＣＨ4警告灯１６及びＣＯ警告灯１８が設けられ、ＣＯ及びＣＨ4を検出した際に対応する警告灯が点灯して検出した異常種別を警告表示する。同時にスピーカ２０から音声警報の出力が行われる。
【００２４】
また警報器１０には、筐体内に警報停止スイッチ２２を設けており、警報停止スイッチ２２のスイッチレバーからは警報器１０の下側に引き紐２１が引き出されている。この実施形態において警報停止スイッチ２２は警報器の機能を試験指示する試験スイッチとして兼用される。
【００２５】
更に、警報器１０には照明装置２４が設けられる。照明装置２４としては例えば白色ＬＥＤが使用され、少ない消費電力で充分な照明光を照射して監視エリアを照明することができ、照明装置２４を駆動することで警報器１０を設置している台所などの監視エリアの一部または全部を照明する。ここで、照明装置２４の照明方向は例えば床面に向くように固定してもよし、任意の照明方向を向くように調整自在に配置しても良い。
【００２６】
図２は図１の警報器に設けられた内部処理ブロック構成の第１実施形態を示したブロック図である。図２において、警報器１０には制御部として機能するＣＰＵ２８が設けられ、ＣＰＵ２８に対しては、ガス検出部としてＣＯ検出部１２とＣＨ4検出部１４が入力接続される。またＣＰＵ２８に対しては、照明装置２４、報知部３０、操作部３２、移報出力部３４及び電源部３６が設けられている。
【００２７】
報知部３０には電源灯１５、ＣＨ4警告灯１６、ＣＯ警告灯１８及びスピーカ２０が設けられる。操作部３２には警報停止スイッチ２２が設けられる。電源部３６はＡＣ１００ボルトから所定の直流電源電圧を得るものであっても良いし、電池電源でもよい。
【００２８】
ＣＰＵ２８にはプログラムの実行により実現される機能として、ガス漏れ監視部３８と照明制御部４０が設けられている。
【００２９】
ガス漏れ警報監視部３８は、ＣＯ検出部１２及びＣＨ4検出部１４のそれぞれからの出力を対応する所定の閾値と比較し、出力が閾値を越えた際にＣＯ検出信号、ＣＨ4検出信号を出力し、ＣＯ検出であればＣＯ警告灯１８を点灯し、更にＣＨ4検出であればＣＨ4警告灯１６を点灯し、更に、スピーカから「ピー  ピー  ピー  台所でガス漏れが発生しました  確認してください」といった音声メッセージを発生する。
【００３０】
ガス漏れ監視部３８はスピーカ２０より警報出力が行われている状態で警報停止スイッチ２２を試験スイッチ操作と区別することのできる操作、例えば数秒以上を操作すると、警報停止スイッチ操作を判別してスピーカ２０からの警報出力を停止させる。
【００３１】
ガス漏れ監視部２８は警報停止中にあっては警報停止状態にあることを報知する。このような警報停止状態の報知中にあっては、その時、警報状態にある警告灯は引き続き点灯状態を維持する。もちろん警報停止中に警報状態が解除されれば対応する警告灯は消灯することとなる。
【００３２】
さらにガス漏れ監視部３８は警報停止スイッチ２３の操作に基づく警報停止から一定時間、例えば１０分経過後に警報停止状態を解除し、その時ＣＯ及びＣＨ4の検出に基づく警報状態にあれば再度警報出力を行わせる。
【００３３】
照明制御部４０はガス漏れ監視部３８でガス漏れ検出が行われたとき、即ちＣＯ検出部１２及びＣＨ4検出部１４のそれぞれからの出力を対応する所定の閾値と比較し、出力が閾値を越えた際にＣＯ検出又はＣＨ4検出によるガス漏れ検出時、照明装置２４を駆動して監視エリアの一部又は全部を照明する。
【００３４】
このような処理を経て自動的に行う照明装置２４の駆動処理は、CPU２８のポート出力等によりトランジスタによるＬＥＤドライブ回路を直接的に動作させる等、出来るだけ機械的接点が介在しないようにするのが望ましい。この点は、後に説明する他の実施形態に於いても同様である。
【００３５】
照明装置２４による監視エリアの照明は、警報出力中は継続して行われており、警報停止スイッチ２２により警報停止操作を行うと、ガス漏れ検出が解除されていることを条件に照明装置２４の駆動を停止して照明が消える。ただし、警報停止操作を行ってもガス漏れ検出が継続しているときは照明装置２４の駆動状態を維持する。
【００３６】
図３は図２の第１実施形態によるガス漏れ監視処理を示したタイムチャートである。図３において、ガス漏れ監視処理は、ステップＳ１で初期化処理を行い、続いてステップＳ２でガス漏れ検出を監視しており、ＣＯ検出器１２又はＣＨ４検出器１４の出力が所定の閾値を越えた際にＣＯ検出又はＣＨ4検出によるガス漏れが判別される。
【００３７】
ガス漏れが判別されるとステップＳ３に進み、ガス漏れ警報を出力する。即ちＣＨ4警告灯１６又はＣＯ警告灯１８を点灯し、スピーカ２０がガス漏れ警報の音声メッセージを出力する。
【００３８】
続いてステップＳ４で照明装置２４を駆動し、監視エリアの一部又は全部を照明する。照明装置２４の駆動による照明中にはステップＳ６で警報停止スイッチ２０による警報停止操作の有無を判別しており、警報停止操作を判別すると、ステップＳ９でガス漏れ警報を停止し、続いてステップＳ１０で照明装置２４が駆動中にあることを判別するとステップＳ１１で照明装置２４の駆動を停止してステップＳ２にリターンする。
【００３９】
このような第１実施形態の照明制御によれば、ガス漏れが検出された場合、照明装置２４が自動的に駆動されて監視エリアを照明することとなり、夜間のガス漏れ警報の際には、監視エリアが警報器１０自身の照明装置２４により照明されており、例えば商用電源回路を機械的に接点開閉することにより駆動する部屋の一般照明を点けることなく、監視エリアの状況が安全な自動照明により分かり、換気作業やガス漏れ箇所の確認などを安全且つ迅速に行うことができる。また照明スイッチを操作して部屋の照明を点ける必要がないため、一般照明スイッチを操作した際に発生するスパークによるガス爆発の危険性を未然に防止できる。
【００４０】
図４は図１の警報器に設けられた回路構成の第２実施形態を示したブロック図であり、第２実施形態は図３の第１実施形態に更に照度センサを設けたことを特徴とする。
【００４１】
図４において、警報器１０には図４と同様に、ＣＯ検出部１２、ＣＨ4検出部１４、ＣＰＵ２８、照明装置２４、報知部３０、操作部３２、移報出力部３４及び電源部３６が設けられ、これに加えて更に照度センサ４２を設けている。照度センサ２９としてはフォトダイオードやフォトトランジスタなどが使用され、監視エリアの明るさに応じた照度検出信号を出力する。
【００４２】
図５は図４の第２実施形態におけるガス漏れ監視処理を示したタイムチャートである。図５の処理は、図３の第１実施形態にステップＳ１４の処理が加わったものであり、図５のステップＳ１１〜Ｓ１３は図３のステップＳ１〜Ｓ３と同じであり、また、図５のステップＳ１５〜Ｓ１９は図３のステップＳ４〜Ｓ７と同じである。
【００４３】
即ち図５の処理にあっては、ステップＳ１３でガス漏れ警報を出力した後、ステップＳ１４で照度センサ４２からの照度検出信号を所定の閾値と比較し、閾値以下であれば照度低下検出と判別し、ステップＳ１５に進んで照明装置２４を駆動し、照度低下検出が判別されない場合はステップＳ１５をスキップし、照明装置２４を駆動しない。
【００４４】
このような第２実施形態の照明制御によれば、照度センサ４２により明るさ低下が検出される夜間でのガス漏れ検出の場合に照明装置２４が駆動され、昼間や夜間であっても部屋の照明が点いて明るい状態でガス漏れが検出されても照明装置２４は駆動されず、警報器１０を電池駆動としている場合に、不必要な照明装置２４の駆動を回避して不要な電池消耗を抑制することができる。
【００４５】
図６は図１の警報器に設けられた回路構成の第３実施形態を示したブロック図であり、第３実施形態は図３の第１実施形態に更に人感センサを設けたことを特徴とする。
【００４６】
図６において、警報器１０には図４と同様に、ＣＯ検出部１２、ＣＨ4検出部１４、ＣＰＵ２８、照明装置２４、報知部３０、操作部３２、移報出力部３４及び電源部３６が設けられ、これに加えて更に人感センサ４４を設けている。人感センサ４４としては例えば人体から発せられる赤外線を検出するセンサが用いられる。
【００４７】
図７は図６の第３実施形態におけるガス漏れ監視処理を示したタイムチャートである。図７の処理は、図３の第１実施形態にステップＳ２４の処理が加わったものであり、図７のステップＳ２１〜Ｓ２３は図３のステップＳ１〜Ｓ３と同じであり、また、図７のステップＳ２５〜Ｓ２９は図３のステップＳ４〜Ｓ７と同じである。
【００４８】
即ち図７の処理にあっては、ステップＳ２３でガス漏れ警報を出力した後、ステップＳ２４で人感センサ４４からの人体検出信号が得られれば人体検出を判別し、ステップＳ２５に進んで照明装置２４を駆動し、人体検出が判別されない場合はステップＳ２５をスキップし、照明装置２４を駆動しない。
【００４９】
このような第３実施形態の照明制御によれば、ガス漏れ検出の場合に監視エリアに人が出向いて初めて照明装置２４が駆動され、不在時などにガス漏れが検出されても照明装置２４は駆動されず、警報器１０を電池駆動としている場合に、不必要な照明装置２４の駆動を回避して不要な電池消耗を抑制することができる。
【００５０】
図８は図１の警報器に設けられた回路構成の第４実施形態を示したブロック図であり、第４実施形態は図３の第１実施形態に更に照度センサと人感センサを設けたことを特徴とする。
【００５１】
図８において、警報器１０には図４と同様に、ＣＯ検出部１２、ＣＨ4検出部１４、ＣＰＵ２８、照明装置２４、報知部３０、操作部３２、移報出力部３４及び電源部３６が設けられ、これに加えて更に照度センサ４２と人感センサ４４を設けている。
【００５２】
図９は図８の第４実施形態におけるガス漏れ監視処理を示したタイムチャートである。図９の処理は、図３の第１実施形態にステップＳ３４の処理が加わったものであり、図９のステップＳ３１〜Ｓ３３は図３のステップＳ１〜Ｓ３と同じであり、また、図９のステップＳ３５〜Ｓ３９は図３のステップＳ４〜Ｓ７と同じである。
【００５３】
即ち図９の処理にあっては、ステップＳ３３でガス漏れ警報を出力した後、ステップＳ３４で照度センサ４２による照度低下検出と人感センサ４４による人体検出の両方が判別された時に、ステップＳ３５に進んで照明装置２４を駆動し、照度低下検出や人体検出が判別されない場合はステップ３２５をスキップし、照明装置２４を駆動しない。
【００５４】
このような第４実施形態の照明制御によれば、夜間にガス漏れが検出された場合、監視エリアに人が出向いて初めて照明装置２４が駆動され、不不必要な照明装置２４の駆動を更に回避して不要な電池消耗を抑制することができる。
【００５５】
なお、上記の実施形態において、照明制御部４０は、ガス漏れ検出後、照明装置２４を駆動するまでに、所定の遅延時間を設けるようにしても良い。このように照明装置２４の駆動開始に遅延時間を設けることにより、遅延時間内に警報停止操作を判別した場合には照明装置２４の駆動を行わないようにし、誤報による照明装置２４の不必要な駆動を防止し、電池駆動の場合には照明駆動による無駄な電力消費を抑制できる。
【００５６】
また、照明制御部４０は、照明装置２４の駆動開始のための遅延時間中に警報停止の操作を判別した場合には照明装置の駆動を行わないようにし、誤報のときは遅延時間内に警報停止操作すれば、不必要な照明装置の駆動を防止し、電池駆動の場合には照明駆動による無駄な電力消費を抑制できる。
【００５７】
また、照明制御部４０は、照明装置ふうの駆動中に警報停止操作を判別した場合に、駆動状態を少なくとも所定期間保持するようにし、これによって換気作業やガス漏れ箇所を調べている間、更に避難中に警報停止操作があった場合でも、直ちに照明が消えて視界を失う危険を回避できる。
【００５８】
また、上記の実施形態は住宅用の警報器を例にとっているが、住宅用に限らずビルやオフィス用など各種用途の警報器にも適用できる。
【００５９】
また、上記の実施形態は警報器にセンサ部を一体に設けた場合を例にとるが、他の実施形態として、センサ部と警報器から分離した構成であっても良い。
【００６０】
また本考案の明度センサには、照度センサの他、明暗による視認性の良否を検出する各種の検出器が使用できる。
【００６１】
また本考案は上記の実施形態に限定されず、その目的と利点を損なうことのない適宜の変形を含み、更に上記の実施形態に示した数値による限定は受けない。
【図面の簡単な説明】
【００６２】
【図１】本考案による警報器の説明図
【図２】本考案による警報器の第１実施形態を示したブロック図
【図３】図２の第１実施形態におけるガス漏れ監視処理を示したフローチャート
【図４】照度センサを設けた本考案による警報器の第２実施形態を示したブロック図
【図５】図４の第２実施形態におけるガス漏れ監視処理を示したフローチャート
【図６】人感センサを設けた本考案による警報器の第３実施形態を示したブロック図
【図７】図４の第２実施形態におけるガス漏れ監視処理を示したフローチャート
【図８】照度センサと人感センサを設けた本考案による警報器の第４実施形態を示したブロック図
【図９】図８の第２実施形態におけるガス漏れ監視処理を示したフローチャート
【符号の説明】
【００６３】
１０：警報器
１２：ＣＯ検出部
１４：ＣＨ4検出部
１５：電源灯
１６：ＣＨ4警告灯
１８：ＣＯ警告灯
２０：スピーカ
２１：引き紐
２２：警報停止スイッチ
２４：照明装置
２８：ＣＰＵ
３０：報知部
３２：操作部
３４：移報出力部
３６：電源部
３８：ガス漏れ監視部
４０：照明制御部
４２：照度センサ
４４：人感センサ
【図１】
0003148639.tif 000003
【図２】
0003148639.tif 000004
【図３】
0003148639.tif 000005
【図４】
0003148639.tif 000006
【図５】
0003148639.tif 000007
【図６】
0003148639.tif 000008
【図７】
0003148639.tif 000009
【図８】
0003148639.tif 000010
【図９】
0003148639.tif 000011
【手続補正書】
【提出日】平成20年12月8日(2008.12.8)
【手続補正１】
【補正対象書類名】実用新案登録請求の範囲
【補正対象項目名】請求項５
【補正方法】変更
【補正の内容】
【請求項５】
請求項１乃至４のいずれかに記載の警報器に於いて、前記照明制御部は、前記ガス検出部又は他の警報器によるガス漏れ検出後、前記照明装置を駆動するまでに、所定の遅延時間を設けたことを特徴とする警報器。